(57)【要約】【課題】画像センサなどを用いてレーベル面の既印刷領域を確認することなく、既印刷領域に重なることなくレーベルを効率良く追加印刷できるメディア処理装置を提案すること。【解決手段】ＣＤパブリッシャ１では、メディア２Ｂのレーベル面２ａを同心状の輪帯領域２１（ｎ）に区画し、その外周側の輪帯領域２１（１）から中心側の輪帯領域２１（ｎ）に向かう順所で、データ書き込み毎に、レーベルプリンタ５によってレーベル印刷情報Ｐ（ｎ）の印刷および追記印刷を行う。何番目までの輪帯領域が印刷済みであるのかを示すレーベル面印刷履歴７ｃが制御部７の内部メモリ７ａに保持され、レーベル印刷毎に当該履歴が更新される。【選択図】図２
2006331534.tif 000002
【特許請求の範囲】
【請求項１】
ＣＤ、ＤＶＤなどのメディアを保管するメディア保管部と、
メディアへのデータの書き込み、およびメディアからのデータの読み出しを行うメディアドライブと、
メディアのレーベル面に印刷を行うレーベルプリンタと、
メディアを搬送するメディア搬送機構と、
前記メディアドライブ、前記レーベルプリンタ、および前記メディア搬送機構を駆動制御する制御部とを有し、
前記制御部は、メディアのレーベル面への印刷要求があると、前記レーベルプリンタを駆動制御して、当該レーベル面を同心状に区画した複数の輪帯領域のうち、未印刷状態の一つの輪帯領域に印刷を行わせることを特徴とするメディア処理装置。
【請求項２】
請求項１において、
前記制御部は、同一の前記メディアのレーベル面に対する印刷要求があると、前記複数の輪帯領域に対して予め定められている印刷順に従って、未印刷状態の一つの輪帯領域に印字を行わせることを特徴とするメディア処理装置。
【請求項３】
請求項２において、
前記印刷順は、前記メディアのレーベル面における中心側の輪帯領域から外周側の輪帯領域に向かう順序、あるいは、外周側の輪帯領域から中心側の輪帯領域に向かう順序であることを特徴とするメディア処理装置。
【請求項４】
請求項１ないし３のうちのいずれかの項において、
前記制御部は、各メディアのレーベル面印刷履歴情報に基づき、未印刷状態の輪帯領域を特定することを特徴とするメディア処理装置。
【請求項５】
請求項４において、
前記レーベル面印刷履歴情報は、前記メディアドライブによって各メディアに書き込まれていることを特徴とするメディア処理装置。
【請求項６】
請求項４において、
前記レーベル面印刷履歴情報を記憶保持している記憶部を有していることを特徴とするメディア処理装置。
【請求項７】
請求項１ないし６のうちのいずれかの項において、
前記輪帯領域は同一幅あるいは異なる幅であることを特徴とするメディア処理装置。
【発明の詳細な説明】
【技術分野】
【０００１】
本発明は、データの書き込み、およびレーベル印刷を行ってメディアを製作して発行可能なＣＤ／ＤＶＤパブリッシャなどのメディア処理装置に関し、特に、レーベル面への印刷を簡単な構成により効率良く行うことのできるメディア処理装置に関するものである。
【背景技術】
【０００２】
ＣＤ／ＤＶＤパブリッシャは、一般に、ブランクメディア・ストッカに収納されているブランクＣＤなどのメディアを内蔵のＣＤドライブに供給して、そこに所定のデータを書き込み、次に、内蔵のレーベルプリンタによってＣＤレーベル面に印刷を施し、この結果得られる作成済みメディアをメディア・ストッカに保管し、あるいは、排出口から発行するように構成されている。例えば、特許文献１にはこのようなパブリッシャが開示されている。
【０００３】
また、レーベルをＣＤなどのメディアの表面に印刷する機構としては、特許文献２に、既印刷領域を示すマーキングを光ディスクに記録しておき、このマーキングに基づき、光ディスクの余白領域にレーベルを印刷するようにした光ディスク記録装置が開示されている。また、特許文献３には、メディア上の印刷データを読み取り、これに基づき、メディア上の余白部分に印刷を行うように構成された追加印刷装置が開示されている。このような装置を用いれば、メディア表面の既印刷領域に重ならないようにレーベルを追加印刷することができる。
【特許文献１】米国特許第５，９１４，９１８号公報
【特許文献２】特開２００４−１９２７３５号公報
【特許文献３】特開２００４−３５８７３２号公報
【発明の開示】
【発明が解決しようとする課題】
【０００４】
しかしながら、メディアのレーベル面において、既印刷領域に重ならないようにレーベルを追加印刷する従来の方法では、画像読取用のセンサによってメディアの印刷領域あるいは余白領域を確認する必要がある。センサとしては一次元センサなどが用いられるので、レーベル面のマーキングや印刷状態を確認するためには、このような情報を読み取るためにメディアを回転させる必要がある。また、追加印刷を行う際には、メディアのレーベル面の余白部分に対してレーベルプリンタの印刷開始位置を位置決めする動作が必要である。
【０００５】
このように、メディアレーベル面に既印刷領域と重ならないように追加印刷を行う従来の機構は、印刷領域などを読み取るための画像センサなどが必要であり、その分、コスト高になるという問題点がある。また、印刷位置などを確認するためにメディアを回転させるなどの確認動作、および、レーベル面の余白部分にレーベルプリンタの印刷位置を合わせるための位置決め動作が必要であり、レーベルの追加印刷を効率良く行うことができないという問題点がある。
【０００６】
本発明の課題は、このような点に鑑みて、画像センサなどを必要とすることなく、既印刷領域に重なることなくレーベルを効率良く追加印刷できるメディア処理装置を提案することにある。
【課題を解決するための手段】
【０００７】
上記の課題を解決するために、本発明のメディア処理装置は、
ＣＤ、ＤＶＤなどのメディアを保管するメディア保管部と、
メディアへのデータの書き込み、およびメディアからのデータの読み出しを行うメディアドライブと、
メディアのレーベル面に印刷を行うレーベルプリンタと、
メディアを搬送するメディア搬送機構と、
前記メディアドライブ、前記レーベルプリンタ、および前記メディア搬送機構を駆動制御する制御部とを有し、
前記制御部は、メディアのレーベル面への印刷要求があると、前記レーベルプリンタを駆動制御して、当該レーベル面を同心状に区画した複数の輪帯領域のうち、未印刷状態の一つの輪帯領域に印刷を行わせることを特徴としている。
【０００８】
本発明では、メディアのレーベル面が同心状の複数の輪帯領域の区画され、各輪帯領域にレーベルが印刷される。したがって、画像センサなどを用いて印刷領域を確認する必要がない。
【０００９】
例えば、前記制御部は、同一の前記メディアのレーベル面に対する印刷要求があると、前記複数の輪帯領域に対して予め定められている印刷順に従って、未印刷状態の一つの輪帯領域に印字を行わせるようにすればよい。
【００１０】
前記印刷順は、前記メディアのレーベル面における中心側の輪帯領域から外周側の輪帯領域に向かう順序、あるいは、外周側の輪帯領域から中心側の輪帯領域に向かう順序とすることができる。
【００１１】
このようにすれば、レーベル面に対する印刷回数のみを記憶保持しておけば、レーベル面上における印刷領域を確認する動作が不要であり、簡単かつ効率良く、レーベルの追加印刷を行うことができる。
【００１２】
また、本発明において、前記制御部は、各メディアのレーベル面印刷履歴情報に基づき、未印刷状態の輪帯領域を特定することもできる。
【００１３】
前記レーベル面印刷履歴情報は、前記メディアドライブによって各メディアに書き込んでおくことができる。あるいは、前記レーベル面印刷履歴情報を記憶保持している記憶部を配置しておいてもよい。
【００１４】
このようにレーベル面印刷履歴情報を保持している場合には、これを参照することによって、未印刷状態の輪帯領域を知ることができる。また、この場合には、任意の順序で未印刷状態の輪帯領域に印刷を行うことができる。
【００１５】
次に、本発明において、前記輪帯領域は同一幅あるいは異なる幅とすることができる。例えば、同一のメディアのレーベル面において同一幅あるいは異なる幅とすることができる。また、メディア毎に異なる幅の輪帯領域に印刷を行うようにすることもできる。
【発明の効果】
【００１６】
本発明のメディア処理装置では、メディアのレーベル面が同心状の複数の輪帯領域に分割され、これらの領域に順次、レーベルの追加印刷が行われる。レーベル面の周方向に追加印刷が行われる場合のようにメディアを回転させて画像センサなどによって印刷領域を確認する必要がない。また、一つの輪帯領域内に印刷されるので、印刷開始位置の頭出しを行わなくとも、隣接する輪帯領域の印刷部分と重なってしまうことが無い。
【００１７】
したがって、本発明によれば、画像センサなどの印刷部分を確認するための機構、および、メディアを回転させて印刷部分を確認するための動作が共に不要である。さらに、印刷開始位置の頭出しを行う必要もない。よって、簡単で廉価な構成により、効率良く、既印刷部分に重なることなくレーベルの追加印刷を行うことのできるメディア処理装置を実現できる。
【発明を実施するための最良の形態】
【００１８】
以下に、図面を参照して、本発明を適用したメディア処理装置の一例を説明する。
【００１９】
図１は本発明を適用したＣＤパブリッシャの概略構成図である。本例のＣＤパブリッシャ１は、ＣＤ、ＤＶＤなどのメディア２（ブランクメディア２Ａおよび書き込み済みメディア２Ｂ）を保管するためのメディア保管部３と、メディア２へのデータの書き込み、およびメディア２からのデータの読み出しを行うメディアドライブ４と、データが書き込まれたメディア２のレーベル面２ａに、書き込みデータを表すタイトル、書き込み年月日などを含むレーベルを印刷するためのレーベルプリンタ５と、メディア２を搬送するためのメディア搬送機構６と、各部の駆動制御を司る制御部７を有している。制御部７はＬＡＮなどの通信回線を介して管理サーバ、パーソナルコンピュータなどの上位機器８に接続されており、上記機器８の側から、メディア製作要求（データ書き込み要求、データ追記要求）、メディア発行要求などが入力される。
【００２０】
メディア保管部３は、未使用のブランクメディア２Ａを厚さ方向に積層した状態で保管しているブランクメディア供給部１１と、書き込み済みメディア２Ｂを同じく厚さ方向に積層した状態で保管するための書き込み済みメディア保管部１２とを備えている。メディア搬送機構６は、これらブランクメディア供給部１１および書き込み済みメディア保管部１２における最も上の位置から順次にメディア２を取り出し可能であり、これらブランクメディア供給部１１および書き込み済みメディア保管部１２における最も上の位置に、順次にメディア２を収納可能である。
【００２１】
この構成のＣＤパブリッシャ１では、上位機器８からデータ書き込み要求を受けると、メディア保管部３のブランクメディア供給部１１からブランクメディア２Ａを取り出して、メディアドライブ４にセットして、データ書き込み要求と共に供給された書き込みデータを書き込む。また、制御部７においてメディアＩＤを生成し、これも書き込む。次に、書き込み済みメディア２Ｂをレーベルプリンタ５にセットして、そのレーベル面２ａに、同じくデータ書き込み要求と共に供給されたレーベル印刷情報を印刷する。印刷終了後に、書き込み済みメディア２Ｂを、メディア保管部３の書き込み済みメディア保管部１２に収納する。制御部７の内部メモリ７ａには、書き込み済みメディア２ＢのメディアＩＤと、収納場所７ｂおよびレーベル面印刷履歴７ｃに関する情報とが記憶される。
【００２２】
また、データ追記要求を受けると、対象となる書き込み済みメディア２Ｂが、メディア保管部３の書き込み済みメディア保管部１２において上から何番目の位置に収納されているのかを、内部メモリ７ａを参照して特定し、対象となる書き込み済みメディア２Ｂを取り出してデータを追記する。また、レーベルプリンタ５によってレーベル印刷情報を、レーベル面２ａに追加印刷する。その後に、書き込み済みメディア２Ｂを再び同一場所に戻す。この場合には、内部メモリ７ａのレーベル面印刷履歴７ｃが更新される。
【００２３】
さらに、データ参照要求あるいはデータ出力要求を受けると、対象となるデータが書き込まれている書き込み済みメディア２Ｂが、メディア保管部３の書き込み済みメディア保管部１２において上から何番目の位置に収納されているのかを、内部メモリ７ａを参照して特定し、書き込み済みメディア２Ｂを取り出して対象データを読み出し、再び同一場所に戻す。
【００２４】
メディア発行（排出）要求があると、対象となるメディア２Ｂがメディア保管部１２から取り出されて、メディア排出口１３に供給される。この結果、メディア排出口１３からメディア２Ｂが取り出し可能になる。
【００２５】
なお、対象の書き込み済みメディア２Ｂが書き込み済みメディア保管部１２における最も上の位置に無い場合には、当該取り出し対象の書き込み済みメディア２Ｂの上に積層されている書き込み済みメディア２Ｂをブランクメディア供給部１１に一時的に退避させて、当該取り出し対象の書き込み済みメディア２Ｂの取り出しを行わせる。
【００２６】
ここで、レーベルプリンタ５によるメディア２Ｂのレーベル面２ａへのレーベル印刷は、制御部７の制御の下に次のように行われる。図２に破線で示すように、メディア２Ｂのレーベル面２ａは、印刷領域として、同心状に複数の輪帯領域２１（ｎ）（ｎ＝１、２、３・・・）に区画される。本例では、同一幅の輪帯領域２１（ｎ）が外周側から中心側に向けて印刷順が付与されている。したがって、データ書き込み要求があると、最も外周側の輪帯領域２１（１）にレーベル印刷情報Ｐ（１）が印刷される。レーベル印刷情報Ｐ（１）には、例えば、書き込みデータのタイトルａおよび書き込み日時ｂが含まれている。レーベル印刷情報Ｐ（１）が印刷された後は、内部メモリ７ａのレーベル面印刷履歴７ｃが更新され、輪帯領域２１（１）が印刷済みである旨を表す内容に変わる。なお、本例では、最初のレーベル印刷時には、メディアＩＤも印刷される。
【００２７】
同一のメディア２Ｂに対するデータ追記要求があると、制御部７は、レーベル面印刷履歴を参照して、レーベル印刷情報Ｐ（２）を、外側から２番目の輪帯領域２１（２）に印刷させる。そして、レーベル面印刷履歴を更新する。このようにして、外側から内側に向けて順次に、輪帯領域２１（ｎ）に、レーベル印刷情報Ｐ（ｎ）が追加印刷される。
【００２８】
なお、本例では、各輪帯領域２１（ｎ）における印刷開始位置を特定することなく、印刷が行われる。すなわち、メディア２Ｂがメディア搬送機構６によってレーベルプリンタ５にセットされた状態において、レーベルプリンタ５による印刷開始位置に対応する輪帯領域２１（ｎ）の部位から印刷が開始される。このため、各輪帯領域２１（ｎ）における印刷開始位置が円周方向にオフセットした状態になる。
【００２９】
（ＣＤパブリッシャの動作説明）
図３はＣＤパブリッシャ５の動作を示す概略フローチャートである。以下に、このフローチャートを参照して、ＣＤパブリッシャ５の動作を説明する。まず、上位機器８からデータ書き込み指令を受けると（ステップＳＴ１）、この指令と共に供給される書き込みデータの属性情報を確認し、ブランクメディア２Ａへの書き込み指令であるのか（すなわち、第１回目の書き込みであるのか）、あるいは書き込み済みメディア２Ｂへのデータ追記指令あるのかを判別する（ステップＳＴ２）。
【００３０】
ブランクメディア２Ａへの書き込み指令の場合には、メディア搬送機構６によって、メディア保管部３のブランクメディア供給部１１の最も上に位置しているブランクメディア２Ａを取り出して（ステップＳＴ３）、メディアドライブ４にセットして、当該メディアを特定するためのメディアＩＤと、データの書き込みを行い、書き込み済みメディア２Ｂを製作する。また、当該書き込み済みメディア２ＢのメディアＩＤと、書き込まれたデータ名、データ構造などとを対応付けした形態で内部メモリ７ａに記憶保持する（ステップＳＴ４）。
【００３１】
この後は、書き込み済みメディア２Ｂをレーベルプリンタ５にセットして、そのレーベル面２ａのレーベル印刷情報Ｐ（１）およびメディアＩＤを印刷し、内部メモリ７ａに、レーベル面印刷履歴として輪帯領域２１（１）が印刷済みであることを表す情報を記憶する（ステップＳＴ５）。そして、書き込み済みメディア２Ｂをメディア保管部３の書き込み済みメディア保管部１２に収納し、当該収納場所に関する情報を内部メモリ７ａにおいて、書き込み済みメディア１１（１）のメディアＩＤに対応付けして記憶保持する（ステップＳＴ６）。
【００３２】
次に、データ追記指令の場合には、追記データの属性情報に基づき、書き込み対象の書き込み済みメディア２Ｂの収納場所を確認し、メディア搬送機構６によって、書き込み済みメディア保管部１２から書き込み対象の書き込み済みメディア２Ｂを取り出して（ステップＳＴ１１）、メディアドライブ４にセットし、追記データの書き込みを行う。また、内部メモリ７ａに、当該書き込み済みメディア２Ｂに関する記憶場所に追記データ名などを記憶保持する（ステップＳＴ１２）。次に、書き込み済みメディア２Ｂをレーベルプリンタ５にセットして、そのレーベル面２ａにレーベル印刷情報Ｐを印刷する。
【００３３】
例えば、ｋ回目（ｋ＝２，３・・・ｎ）の追加印刷時には、内部メモリ７ａのレーベル面印刷履歴は、輪帯領域２１（ｋ−１）まで印刷済みであることを示している。したがって、制御部７は当該履歴を参照して、ｋ番目のレーベル印刷情報Ｐ（ｋ）を、レーベル面２ａにおける外側からｋ番目の輪帯領域２１（ｋ）に印刷する。この後は、内部メモリ７ａのレーベル面印刷履歴を更新して、輪帯領域２１（ｋ）を印刷済みにする（ステップＳＴ１３）。この後は、書き込み済みメディア２Ｂを、メディア保管部３の書き込み済みメディア保管部１２に収納する（ステップＳＴ６）。
【００３４】
次に、データ参照指令あるいはデータ出力指令を受け取った場合には（ステップＳＴ２１）、対象となるデータが収録されている書き込み済みメディア１１Ｂの収納場所を、内部メモリ７ａの保持情報に基づき特定し、メディア搬送機構６によって、書き込み済みメディア保管部１２から対象の書き込み済みメディア２Ｂを取り出し、メディアドライブ４にセットし（ステップＳＴ２２）、対象のデータを読み出す（ステップＳＴ２３）。データ参照あるいは出力が終了した後は、参照あるいは出力履歴を内部メモリ７ａに記憶した後に、書き込み済みメディア２Ｂを元の収納場所に戻す（ステップＳＴ６）。
【００３５】
一方、メディア取り出し指令が出ている場合には（ステップＳＴ３１）、取り出し対象の書き込み済みメディア２Ｂの収納場所を、内部メモリ７ａの保持情報に基づき特定し、メディア搬送機構６によって、書き込み済みメディア保管部１２から対象の書き込み済みメディア２Ｂを取り出し（ステップＳＴ３２）、メディア排出口２０に搬送して、取り出し可能にする（ステップＳＴ３３）。内部メモリ７ａにはメディア２Ｂが排出された旨が記憶保持される。
【００３６】
以上説明したように、本例のＣＤパブリッシャ５では、レーベル印刷情報の印刷が、メディア２のレーベル面２ａにおける予め同心状に区画された輪帯領域２１（ｎ）に、それらの外周側から順次に行われる。したがって、追加印刷時に、既印刷領域を確認するためのレーベル面印刷画像の読取動作が不要である。よって、画像センサを用いることなく、また、印刷領域を確認するためにメデァイ２Ｂを回転駆動させる確認動作を行うことなく、直ちに、既印刷領域に重なることなく、レーベルの追加印刷を行うことができる。
【００３７】
なお、本例では、外周側の輪帯領域から中心側に向けて順次にレーベル印刷を行うようにしているが、この順序は逆であってもよい。さらに、予め定めた任意の順番でレーベル印刷を行うこともできる。
【００３８】
また、本例では、レーベル面印刷履歴を制御部７の内部メモリ７ａに保持しているが、これを、各メディア２Ｂにメディアドライブ４によって書き込んでおくようにしてもよい。この場合には、データ書き込み時に、レーベル面印刷履歴を読み出し、これを参照して、制御部７はレーベル印刷を行うべき未印刷の輪帯領域を特定すればよい。
【００３９】
さらに、本例では、輪帯領域２１（ｎ）の幅を一定としてあるが、これを相互に異なったものとしてよい。または、レーベル印刷毎に可変としてもよい。この場合には、輪帯領域の幅に関する情報をレーベル面印刷履歴として残しておき、次のレーベル印刷時には、当該履歴を参照して、制御部７が印刷すべき輪帯領域を算出すればよい。
【００４０】
なお、本例は、メディアとして、ＣＤ、ＤＶＤなどの光ディスク、光磁気ディスクを用いた例であるが、メディアとしては、半導体メモリ、磁気記録媒体などの他の形式の外部記憶媒体を用いることもできる。また、外部記録媒体の書き込み、読み出し用のメディアドライブも、単一種類の外部記録媒体の書き込みおよび発行動作を行うものを用いることができることは勿論のこと、異なる種類あるいは形式の外部記録媒体の書き込み、および発行動作を行う機能を備えたものを用いることも可能である。
【００４１】
（ＣＤパブリッシャの具体的構成例）
なお、図４ないし図９を参照して、ＣＤパブリッシャ１の具体的構成例を説明する。
【００４２】
図４はＣＤパブリッシャ１の外観斜視図である。ＣＤパブリッシャ１は、ほぼ直方体形状の筐体３１を備え、この筐体３１の前面には、左右に開閉可能な開閉扉３２、３３が取り付けられている。開閉扉３２、３３の下側右端部には、表示ランプ、操作ボタンなどが配列された操作面３４が形成されており、当該操作面３４の隣には、メディア排出口１３が開いている。
【００４３】
図５は、開閉扉３２、３３を開いた状態でのＣＤパブリッシャ１の斜視図である。左側の開閉扉３２は閉じ状態にロックされており、操作面３４に個人認証手段、例えば、指紋センサなどを配置しておき、予め登録されている者のみが開閉できるようになっている。あるいは、上位機器８からの指令によって開閉可能となっている。これに対して、右側の開閉扉３３はレーベルプリンタ５のインクカートリッジの交換時に開閉するためのものであり、当該開閉扉３３を開けると、カートリッジ装着部３６が露出するようになっている。本例では上下二段のカートリッジ装着部３６が形成されている。
【００４４】
図６は、開閉扉３２、３３および筐体３１の一部を取り外した状態でのＣＤパブリッシャ１の斜視図である。図５および図６を参照して説明すると、ＣＤパブリッシャ１の筐体３１の内部には、その左側の部位において、ブランクメディア供給部１１および書き込み済みメディア保管部１２が同軸状態で上下に配置されている。ブランクメディア供給部１１は、前方に水平に引き出し可能なスライド板４１と、このスライド板４１の上に垂直に配置されている左右一対の円弧状の枠板４２、４３とを備えており、これらにより、メディア２Ａを上側から受け入れ、同軸状態に積層した状態で収納可能なストッカが構成されている。ブランクメディア供給部１１にメディア２Ａを収納あるいは補充する作業は、開閉扉３２を開け、スライド板４１を手前に引き出すことにより、簡単に行うことが可能となっている。
【００４５】
下側の書き込み済みメディア保管部１２も同一構造となっており、前方に水平に引き出し可能なスライド板４４と、この上面に垂直に配置されている左右一対の円弧状の枠板４５、４６とを備えており、これらによって、メディア２Ｂを上側から受け入れ、同軸状態で積層した状態で収納可能なストッカが構成されている。
【００４６】
これらのブランクメディア供給部１１および書き込み済みメディア保管部１２の後側には、メディア搬送機構６が配置されている。メディア搬送機構６は、筐体３１に垂直に取り付けられているシャーシ５１と、このシャーシ５１の上下の水平支持板部分５２、５３の間に垂直に架け渡されている垂直ガイド軸５４と、この垂直ガイド軸５４に取り付けたメディアキャリア５５とを備えている。メディアキャリア５５は、垂直ガイド軸５４に沿って昇降可能であるとともに、当該垂直ガイド軸５４を中心に左右に旋回可能である。
【００４７】
ブランクメディア供給部１１、書き込み済みメディア保管部１２およびメディア搬送機構６の側方の部位には、上側にメディアドライブ４が配置され、下側にレーベルプリンタ５が配置されている。図５、６では、上側のメディアドライブ４のメディアトレイ７１が手前に引き出されたメディア受け渡し位置７１Ａにある状態、および、下側のレーベルプリンタ５のメディアトレイ８１が手前側のメディア受け渡し位置８１Ａにある状態が示されている。また、レーベルプリンタ５はインクジェットプリンタであり、インク供給源として各色のインクカートリッジ８２が用いられており、これらのインクカートリッジ８２がカートリッジ装着部３６に前方から装着されている。
【００４８】
ここで、ブランクメディア供給部１１および書き込み済みメディア保管部１２の左右一対の枠板４２、４３の間、４５、４６の間には、メディア搬送機構６のメディアキャリア５５が昇降可能な隙間が形成されている。また、これら上下のメディア供給部１１およびメディア保管部１２の間には、メディアキャリア５５が水平に旋回して、これらの真上に位置できるように、隙間が開いている。さらに、上側のメディアトレイ７１をメディアドライブ４に押し込むと、メディア搬送機構６のメディアキャリア５５を下降させて、メディア受け渡し位置にあるメディアトレイ８１にアクセス可能となっている。したがって、メディアキャリア５５の昇降および左右への旋回の組み合わせ動作によって、メディア２を各部分に搬送することが可能である。
【００４９】
図７はメディア搬送機構６のみを示す斜視図である。先に述べたように、メディア搬送機構６は、筐体３１に対して垂直に取り付けられているシャーシ５１を備え、このシャーシ５１の上下の水平支持板部分５２、５３の間に、垂直ガイド軸５４が取り付けられ、この垂直ガイド軸５４にメディアキャリア５５が昇降および旋回可能な状態で支持されている。
【００５０】
メディアキャリア５５の昇降機構は、駆動源であるモータ５６を備えており、このモータ５６の回転が、モータ出力軸に取り付けたピニオン５７、複合伝達歯車５８、および伝達歯車５９を備えた減速歯車列を介して、駆動側プーリ６１に伝達されるようになっている。駆動側プーリ６１は、シャーシ５１の上端近傍位置において、水平な回転軸（図示せず）を中心として回転自在の状態に支持されている。シャーシ５１の下端近傍位置には、同じく水平な回転軸６２を中心として回転自在の状態で従動側プーリ６３が支持されており、これら駆動側プーリ６１および従動側プーリ６３の間にタイミングベルト６４が架け渡されている。このタイミングベルト６４の左右のベルト部分の一方に、メディアキャリア５５の後端部分が固定されている。したがって、モータ５６を駆動すると、タイミングベルト６４が上下方向に移動し、そこに取り付けられているメディアキャリア５５が垂直ガイド軸５４に沿って昇降する。
【００５１】
次に、メディアキャリア５５の旋回機構は、駆動源であるモータ６５を備えており、このモータ６５の出力軸にはピニオン（図示せず）が取り付けられて、このピニオンの回転が、２枚の複合伝達歯車６６、６７を備えた減速歯車列を介して、扇形の最終段歯車６９に伝達されるようになっている。扇形の最終段歯車６９は、垂直ガイド軸５４を中心として左右に旋回可能である。また、当該最終段歯車６９には、メディアキャリア５５の昇降機構の構成部品が組み付けられているシャーシ５１が搭載されている。モータ６５を駆動すると、扇形の最終段歯車６９が左右の旋回するので、ここに搭載されているシャーシ５１が一体となって垂直ガイド軸５４を中心として左右に旋回する。この結果、シャーシ５１に搭載されている昇降機構によって保持されているメディアキャリア５５が垂直ガイド軸５４を中心として左右に旋回する。
【００５２】
なお、メディアキャリア５５は、その先端側の部位の中心に、例えば、３本の把持爪を備え、それらの一つが半径方向に移動可能となっている。これらの把持爪をメディア２のセンターホールに差し込み、一本の爪を半径方向の外方に移動させることにより、メディア２を把持できる。この把持状態において、一本の爪を半径方向の内方に移動させることにより、メディア２を開放して把持爪から落下させることができる。メディアキャリア５５にはこのような把持機構が搭載されている。このような把持機構は、後述のプリンタ５におけるメディアトレイ８１に組み込まれている把持機構と同様である。
【００５３】
図８はレーベルプリンタ５のみを示す斜視図であり、図９はそのメディアトレイ８１を示す平面図である。レーベルプリンタ５はシャーシ８３を備え、このシャーシ８３における後側の左右の側板部分の間にはキャリッジガイド軸８４が水平に架け渡されており、ここに沿って、インクジェットヘッド（図示せず）が搭載されたヘッドキャリッジ８５が左右方向に往復移動可能である。キャリッジ駆動機構は、左右方向に水平に架け渡したタイミングベルト８６と、これを駆動するためのキャリッジモータ８７とを備えている。
【００５４】
ヘッドキャリッジ８５に搭載されているインクジェットヘッドは、そのノズル面が下向きとされており、当該インクジェットヘッドの下側位置を、前後方向に水平にメディアトレイ８１が往復移動可能となっている。メディアトレイ８１は、その右側の端が、前後方向に水平に延びるガイド軸８８によって支持され、その左側の端が、スライド可能な状態で、前後方向に水平に延びるガイドレール８９によって支持されている。このメディアトレイ８１の駆動機構も、前後方向に水平に架け渡したタイミングベルト９０と、これを駆動するためのトレイモータ９１を備えた構成となっている。
【００５５】
メディアトレイ８１は、矩形の板の上面に、メディア１１を載せるための円形の浅い凹部８１ａを備えている。また、当該凹部８１ａの中心部には、同一円上において６０度間隔に配置された３本の垂直爪９２〜９４を備えている。２本の垂直爪９２、９３は半径方向に一体となって移動可能であり、残りの１本の垂直爪９４は、固定位置に配置されている。電磁ソレノイドなどの不図示駆動機構によって２本の垂直爪９２、９３が移動するようになっている。
【００５６】
メディア２を、そのレーベル面２ａを上向きにして、上から凹部８１ａに落とすと、図８に示すように、メディア２のセンターホールに３本の垂直爪９２〜９４が差し込まれた状態になる。この後に、垂直爪９２、９３を半径方向の外方に僅かに移動すると、これら３本の垂直爪９２〜９４がメディア２のセンターホールの内周面に内側から押し付けられた状態になる。これにより、メディア２がメディアトレイ８１に保持される。この状態で、トレイモータ９１を駆動して、メディアトレイ８１をガイド軸８８に沿って後ろ側に移動させ、インクジェットヘッドの印字領域内まで移動させることができる。この後は、インクジェットヘッドによって、メディア２の印刷面に所定の印刷を施すことができる。
【図面の簡単な説明】
【００５７】
【図１】本発明を適用したＣＤパブリッシャの概略構成図である。
【図２】メディアのレーベル面の輪帯領域、印刷例を示す説明図である。
【図３】図１のＣＤパブリッシャの動作を示す概略フローチャートである。
【図４】図１のＣＤパブリッシャの具体例を示す外観斜視図である。
【図５】図４のＣＤパブリッシャにおける開閉扉が開いた状態での斜視図である。
【図６】図４のＣＤパブリッシャの内部構造を示すための斜視図である。
【図７】図４のＣＤパブリッシャのメディア搬送機構を示す斜視図である。
【図８】図４のＣＤパブリッシャのプリンタを示す斜視図である。
【図９】図４のプリンタのメディアトレイを示す平面図である。
【符号の説明】
【００５８】
１  ＣＤパブリッシャ、２、２Ａ、２Ｂ  メディア、２ａ  レーベル印刷面、３  メディア保管部、４  メディアドライブ、５  レーベルプリンタ、６  メディア搬送機構、７  制御部、７ａ  内部メモリ、７ｃ  レーベル面印刷履歴、８  上位機器、１１  ブランクメディア供給部、１２  書き込み済みメディア保管部、１３  メディア排出口、２１（ｎ）  輪帯領域
【図１】
2006331534.tif 000003
【図２】
2006331534.tif 000004
【図３】
2006331534.tif 000005
【図４】
2006331534.tif 000006
【図５】
2006331534.tif 000007
【図６】
2006331534.tif 000008
【図７】
2006331534.tif 000009
【図８】
2006331534.tif 000010
【図９】
2006331534.tif 000011